(57)【要約】【課題】簡易な構成で全高を低くすることができる排水トラップ装置を提供する。【解決手段】上部が開口して排水の流入を受け入れるとともに、受け入れた排水を所定高さまで貯留するトラップ本体１５と、該トラップ本体１５内部に収納されて、前記トラップ本体１５の底面から所定間隔を開けて上方向に延びる筒状に形成され、前記トラップ本体１５に貯留した排水を所定の折曲位置２８から溢れ出させる封水部２６と、該封水部２６の溢出位置２８から溢れ出た排水を家屋の排水配管に排出する略水平に延びる排水管１３と、を備え、前記封水部２６の溢出位置２８は、前記排水管１３の内周底の高さよりも高い。【選択図】図１
2009121203.tif 000002
【特許請求の範囲】
【請求項１】
上部が開口して排水の流入を受け入れるとともに、受け入れた排水を所定高さまで貯留するトラップ本体と、
該トラップ本体内部に収納されて、前記トラップ本体の底面から所定間隔を開けて上方向に延びる筒状に形成され、前記トラップ本体に貯留した排水を所定の溢出位置から溢れ出させる封水部と、
該封水部の溢出位置から溢れ出た排水を家屋の排水配管に排出する略水平方向に延びる排水管と、を備え、
前記封水部の溢出位置は、該溢出位置から溢れ出た排水を受け入れる位置における前記排水管の内周底よりも高い水平位置にあることを特徴とする排水トラップ装置。
【請求項２】
前記封水部の溢出位置における排水の排水管への流路面積が、自装置内の流路面積の中で最も狭く形成されていることを特徴とする請求項１に記載の排水トラップ装置。
【請求項３】
前記封水部の上部に外部から空気を導入する通気管が連通することを特徴とする請求項１又は請求項２のいずれかに記載の排水トラップ装置。
【請求項４】
前記通気管は、端部が屋外に開放されることを特徴とする請求項３に記載の排水トラップ装置。
【請求項５】
前記排水管が、排水を排出方向に吸い出す負圧発生部に連通することを特徴とする請求項１から請求項４のいずれかに記載の排水トラップ装置。
【請求項６】
前記負圧発生部は、前記排水管と同径か該排水管よりも細い径の垂直方向に下向きに設けられた管であることを特徴とする請求項５に記載の排水トラップ装置。
【発明の詳細な説明】
【技術分野】
【０００１】
本発明は建物の排水流路上に設けられる排水トラップ装置に関し、詳しくは上方開口から排水を導入して、側方に設けられた排水管に排出する排水トラップ装置に関する。
【背景技術】
【０００２】
従来より、建物の浴室、洗濯パン、流し等に設けられた排水口に連通して排水トラップが設けられ、排水を排出する下水内の臭気や害虫等が建物の居住空間に侵入するのを阻止している。特に浴室や洗濯パン等のように床下付近に排水口がある場合には、下階の天井と上階の床との間の幅をできるだけ圧縮して居住に利用できるスペースを広くとるために、排水トラップの全高を低くすることが求められる。
【０００３】
従来の排水トラップ装置１００の構成は、例えば図７に示すように、排水を受け入れつつ、排水に混入している異物を濾し取る役割を果たす目皿１０１と、この目皿１０１の下方に位置する防臭筒１０２と、目皿１０１及び防臭筒１０２を内周面で支持するとともに、上端が外方向に広がる鍔１０３を形成する目皿受け具１０４と、椀状に形成され目皿１０１から流入した排水を封水Ｗとして貯水するトラップ本体１０５と、トラップ本体１０５の上端に形成され、外方向に広がるフランジ１０６と、目皿受け具１０４の鍔１０３とフランジ１０６とに挟まれて図示しない防水パンに水密良く密着するパッキン１０７と、トラップ本体１０５の側方から略水平方向に延びる排水管１０８と、により構成される（例えば特許文献１、特許文献２）。
【０００４】
防臭筒１０２は、目皿１０１を通過した排水を全て受け入れることができるように上端が広がった円筒形状の部材であり、その上端はトラップ本体１０５の上方にある円筒形状の目皿受け具１０４の内周面の下端付近に密着固定され、その下部はトラップ本体１０５に貯水された封水Ｗに水没している。これにより、排水管１０８内の空気と、防臭筒１０２上部の空気とは、封水Ｗにより分断されるので、直接連通せず、排水管１０８内の臭気や下水から侵入した害虫等は、封水Ｗを通ることができず、建物の居住空間に侵入することができない。
【０００５】
このような排水トラップ装置１００は、上述のような防臭防虫性能、及び排水性能を確保するために、一定の基準を満たす必要がある。例えば、日本工業規格の床排水トラップ（ＪＩＳＡ４００２）によると、トラップ本体１０５に貯留される封水Ｗの水面Ｌから防臭筒１０２の下端までの長さである封水深Ｘは５０ｍｍ以上なければならず、また、各部の流路面積は流出側配管の断面積以上であって、流路幅の最小が１０ｍｍ以上でなければならないとされている。したがって、排水トラップ装置１００には、トラップ本体１０５の底面から防臭筒１０２の下端までの間の距離Ｙ、及び、排水管１０８に連通するトラップ本体１０５の側方の開口の幅Ｚが、それぞれ１０ｍｍ以上必要である。
【特許文献１】特開２００７−２０５０９８
【特許文献２】特開２００７−２５５１５３
【発明の開示】
【発明が解決しようとする課題】
【０００６】
以上のように、排水トラップ装置１００は、少なくとも、封水深Ｘの５０ｍｍと、その上下Ｙ、Ｚに最小流路幅である１０ｍｍの距離がそれぞれ必要であるが、これら７０ｍｍの他に防水パンに排水トラップ装置１００を取付けるために目皿１０１、目皿受け具１０４、パッキン１０７、及びフランジ１０６等の部材を収納する高さが必要となる。したがって、排水トラップ装置１００の全高を低くすることは極めて困難であった。
【０００７】
そこで、本発明は、簡易な構成で全高を低くすることができる排水トラップ装置を提供することを目的とする。
【課題を解決するための手段】
【０００８】
上記の目的を達成するために、請求項１に記載の排水トラップ装置は、上部が開口して排水の流入を受け入れるとともに、受け入れた排水を所定高さまで貯留するトラップ本体と、該トラップ本体内部に収納されて、前記トラップ本体の底面から所定間隔を開けて上方向に延びる筒状に形成され、前記トラップ本体に貯留した排水を所定の溢出位置から溢れ出させる封水部と、該封水部の溢出位置から溢れ出た排水を家屋の排水配管に排出する略水平方向に延びる排水管と、を備え、前記封水部の溢出位置は、該溢出位置から溢れ出た排水を受け入れる位置における前記排水管の内周底よりも高い水平位置にあることを特徴としている。
【０００９】
なお、ここで「略水平」とは、厳密に水平である場合のほか、排水トラップ本体から外方向に例えば５０分の１程度の下り勾配に設けられるものも含む。また、ここで「排水管の内周底」とは、封水部の溢出位置から溢れ出た排水を受け入れる位置における排水管断面の最も低い位置をいう。
【００１０】
また、請求項２に記載の排水トラップ装置は、請求項１に記載の排水トラップ装置であって、前記封水部の溢出位置における排水の排水管への流路面積が、自装置内の流路面積の中で最も狭く形成されていることを特徴としている。
【００１１】
請求項３に記載の排水トラップ装置は、請求項１又は請求項２に記載の排水トラップ装置であって、前記封水部の上部に外部から空気を導入する通気管が連通することを特徴としている。
【００１２】
請求項４に記載の排水トラップ装置は、請求項３に記載の排水トラップ装置であって、前記通気管は、端部が屋外に開放されることを特徴としている。
【００１３】
請求項５に記載の排水トラップ装置は、請求項１から請求項４に記載の排水トラップ装置であって、前記排水管が、排水を排出方向に吸い出す負圧発生部に連通することを特徴としている。
【００１４】
請求項６に記載の排水トラップ装置は、請求項５に記載の排水トラップ装置であって、前記負圧発生部は、前記排水管と同径か該排水管よりも細い径の垂直方向に下向きに設けられた管であることを特徴としている。
【発明の効果】
【００１５】
請求項１に記載の排水トラップ装置によると、封水部の溢出位置を排水管の内周底の高さよりも高くすることで、簡易な構成で封水深を維持しつつ排水トラップ装置の全高を低くすることができる。また、排水管は略水平に延びるので、排水管を配置するために下階の天井と上階の床との間の幅を広げる必要がない。
【００１６】
請求項２に記載の排水トラップ装置によると、封水部の溢出位置の流路面積が自装置内で最も狭く形成されており、且つ溢出位置は排水管よりも上に位置しているので、排水に混入した気泡はこの溢出位置を通過しにくい。したがって、排水管側が排水に満たされてサイフォン現象を起こしやすくなるので、排水を強く吸い出して効率よく排出することができる。また、封水部の溢出位置は封水深を確保するために封水部の他の部分よりも高い位置に設けられるので、この部分の流路面積を最も狭くすることで、排水トラップの全高をより低くすることができる。さらに、この封水部の溢出位置以外の部分の流路面積を溢出位置と比較して広くとることで、排水流路を狭くすることによる排水性能の悪化を防止することができる。
【００１７】
請求項３に記載の排水トラップ装置によると、封水部の上部に外部から空気を導入する通気管が連通するので、排水が封水部の溢出位置を通過してサイフォン現象を起こし封水部内の気圧が下がると、通気管から空気が供給されて封水部内の気圧が元に戻るので、サイフォン現象が維持されることがない。したがって、排水時に排水トラップが破封することを防止することができる。また、破封を防止することで封水部下端から空気を引き込んで不快音が発生することを防ぐことができる。
【００１８】
請求項４に記載の排水トラップ装置によると、通気管は端部が屋外に開放されているので、配水管から通気管を通って臭気や害虫が屋内に入り込むことを防止できる。
【００１９】
請求項５に記載の排水トラップ装置によると、排水管は負圧発生装置に連通するので、排水トラップに流れ込んだ排水は排水管側に引き込まれて、より効率よく排水することができる。
【００２０】
請求項６に記載の排水トラップ装置によると、負圧発生装置は排水管から垂下された排水管と同じか排水管よりも細い管であるので、サイフォン現象を起こすことができ、極めて簡単な構成で効率よく排水することができる。
【発明を実施するための最良の形態】
【００２１】
以下において、本発明の最良の実施形態について、図面を参照しつつ説明する。まず、本発明の排水トラップ装置１０の一例として、浴槽１１の排水口１２に連通する排水トラップ装置１０ａについて、図１及び図２を参照しつつ説明する。なお図１は、トラップ本体１５内に排水が封水Ｗとして折曲位置２８まで貯留された状態の排水トラップ装置１０ａを示している。
【００２２】
排水トラップ装置１０ａは、上部が開口した有底の円筒椀状に形成され、側面に排水管１３を挿通させる挿通口１４が設けられたトラップ本体１５と、浴槽１１の排水口１２から排出された排水をエルボ１６を介してトラップ本体１５内部に導くとともに、下端が広がって形成された導水部１７と、この導水部１７の下端を内周面に螺着させて支持しつつ、上端が外側に広がった鍔１８を形成する受け具１９と、トラップ本体１５の上端に外方向に広がるように形成されたフランジ２０と、受け具１９の鍔１８とフランジ２０とに挟まれて防水パン２１に水密良く密着するＵ字パッキン２２と、トラップ本体１５の内部から挿通口１４を挿通して略水平方向に延びる排水管１３と、トラップ本体１５の内部で一端が排水管１３に連通するとともに他端が封水に水没する筒状の防臭パイプ２３と、排水管１３と防臭パイプ２３を水密良く固着するためのＯリング２４と、により構成されている。
【００２３】
受け具１９の鍔１８は防水パン２１に開けられた開口に上側から嵌め込むことができる形状であり、また、フランジ２０は防水パン２１に開けられた開口に下側から嵌め込むことができる形状である。トラップ本体１５の上部内周面は受け具１９の外周面と螺合する形状であり、防水パン２１の開口にＵ字パッキン２２を嵌め込み、このＵ字パッキン２２を受け具１９の鍔１８とフランジ２２とで挟み込んで、トラップ本体１５に受け具１９を螺合させることで、排水トラップ装置１０ａを防水パン２１に水密良く固定することができる。
【００２４】
排水管１３はその中間部にトラップ本体１５の挿通口１４と整合する形状の壁部２５を有しており、排水管１３をトラップ本体１５内部に挿入した状態で、挿通口１４と壁部２５とを接着させて水密性を保ちつつ固定する。なお、ここで略水平に延びる排水管１３は、厳密に水平に延出するわけではなく、例えばトラップ本体１５から外方向に向けて下りの５０分の１程度の勾配を有する。排水管１３のトラップ本体１５内部側となる端部は斜め上方に折曲しており、合成樹脂などで形成されたＯリング２４を介して水密良く防臭パイプ２３に連通している。防臭パイプ２３は、下方側に広がる筒状の封水部２６と、この封水部２６の上端から折曲して斜め下方に延びて排水管１３に連結する連結部２７とにより形成されている。トラップ本体１５に封水Ｗとして貯留される排水は、この封水部２６の上端の折曲位置２８まで貯留されると、折曲位置２８から連結部２７を介して排水管１３に溢れ出される。また、この折曲位置２８における防臭パイプ２３の流路面積は、排水トラップ装置１０ａ内の流路面積の中で最も狭く形成されている。
【００２５】
なお、本発明における「溢出位置」は、本実施形態においては折曲位置２８に相当するが、本発明の実施形態はこれに限定されるものではない。例えば、封水部２６が連結部２７を介さずに直接略水平な排水管１３に連通する構成であって、封水部２６の上縁が排水管１３と連結する位置に排水管１３の内周底よりも高く設けられる構成であってもよい。この場合、トラップ本体１５に封水Ｗとして貯留された排水は封水部２６の上縁から排水管１３に溢れ出されることとなるので、本発明の「溢出位置」は当該実施形態においては、封水部の上縁がこれに相当する。
【００２６】
浴槽１１の排水口１２から排水が流されると、エルボ１６及び導水部１７を介して、トラップ本体１５に排水が流入する。流入した排水は、図１に示すように、トラップ本体１５で封水部２６上端の折曲位置２８まで貯留される。このように排水が封水Ｗとして貯留されるので、排水管１３内部の空気と、排水トラップ装置１０ａ上方の建物内部の居住空間の空気と、は分断される。したがって、排水管１３内部の臭気や排水管１３に連通する図示しない下水からあがってきた害虫は、封水Ｗを通過することができず、臭気や害虫が居住空間に侵入することを防ぐことができる。
【００２７】
以上のように、排水が封水Ｗとしてトラップ本体１５に貯留された状態で、浴槽１１の排水口１２から更に大量の排水が流されると、流された排水は封水部２６上端の折曲位置２８を一気に大量に通過することとなる。折曲位置２８における防臭パイプ２３の流路面積は排水トラップ装置１０ａ内の流路面積の中で最も狭く形成されているので、通過する排水に混入した空気は通過しにくい。したがって、排水のみが排水管１３に勢い良く流されることとなり、排水管１３側の気圧が低下してサイフォン現象が生じやすくなり、排水を効率的に排出することができる。
【００２８】
また、本実施形態の排水トラップ装置１０ａは、封水部２６の上端の折曲位置２８が、円筒形状のトラップ本体１５の中央付近であって、且つ、排水管１３の内周底１３ａよりも上方に位置しており、防臭パイプ２３の上部はトラップ本体１５の中央付近に排水管１３の最上部１３ｂよりも高く盛り上がって形成されている。このように構成することで、封水部２６の下端から折曲位置２８までの距離である封水深Ｘ、トラップ本体１５の底面から封水部２６の下端までの距離Ｙ、及び折曲位置２８における防臭パイプ２３の流路幅Ｚを確保しつつ、排水トラップ装置１０ａの全高を低くすることができる。
【００２９】
次に、本発明の排水トラップ装置１０の他の実施形態として、浴室の洗い場３１の排水口３２に連通する排水トラップ装置１０ｂについて、図３及び図４を参照しつつ説明する。なお、上述した浴槽１１の排水口１２に連通する排水トラップ装置１０ａと同一の構成については、同じ符号を付して説明を省略する。また、図３は排水口３２からトラップ本体１５に排水が流入している最中の排水トラップ１０ｂを示している。
【００３０】
この排水トラップ装置１０ｂは、導水部１７に替えて、洗い場３１の排水口３２から流される排水をトラップ本体１５に流入させるとともに排水に混入した異物を濾し取る目皿３３を備え、また、防臭パイプ２６の上部に通気口３４が開口するとともに、一端がこの通気口３４に連通し他端が屋外に開放される通気管３５を備える。このように通気管３５の他端は屋外で開放されているので、排水管１３内部の臭気や排水管１３に連通する下水からあがってきた害虫が、居住空間に侵入することはない。
【００３１】
また本実施形態の排水トラップ装置１０ｂは、防臭パイプ２６の上部に開口した通気口３４に通気管３５が連通しているので、洗い場３１の排水口３２から大量の排水が流されて、排水が封水部２６の上端の折曲位置２８に大量に通過して、図３の矢印Ａに示すように排水管１３を勢い良く排水が流れ、排水管１３内の気圧が低下したときに、図３の矢印Ｂに示すように通気管３５を通って通気口３４から防臭パイプ２６に空気が供給されるので排水管１３側の気圧を元の状態に戻すことができる。したがって、図３に示すように、サイフォン現象が発生しないので、サイフォン現象が発生してトラップ本体１５内部に貯留された排水が吸い出された場合のように、封水部２６の下端から空気が侵入してゴボゴボといった異音が発生することを防ぐことができる。
【００３２】
本実施形態においては、図５に示すように、浴槽１１の排水口１２に連通する排水トラップ装置１０ａと、浴室洗い場３１の排水口３２に連通する排水トラップ装置１０ｂと、を異なる構成にした。このようにそれぞれ別の構成することで、浴室を使用中、すなわち入浴中に排水を流す浴室の洗い場３１の排水口３２に連通する排水トラップ装置１０ｂには、防臭パイプ２３の通気口３４に連通する通気管３５を設けて異音が発生することを抑制し、入浴者が不快な音を聞くことがない。また、入浴後に浴槽１１の排水口１２の栓を抜いて浴槽１１の水を排水するときには、サイフォン現象により効率よく排水を排出することができる。また、入浴中ではないので浴室に入浴者はおらず、異音が発生したとしても問題ない。
【００３３】
以上のように構成された排水トラップ装置１０を用いた排水構造は、図６に示すように、それぞれの排水トラップ装置１０ａ、１０ｂから略水平方向に排水管１３がそれぞれ延びる。そして、排水管１３は先端で、この排水管１３よりもやや細い内径の垂直方向に垂下した細管３６にそれぞれ連通している。この細管３６は、所定の距離まで垂直方向に下方に延びて、建物の排水配管３８の縦配管３７に連通している。浴槽１１の排水口１２又は洗い場３１の排水口３２から排水が流されると、排水トラップ装置１０ａ、又は１０ｂに流れ込んだ排水は、防臭パイプ２３、及び排水管１３を介して細管３６に流れ込む。そして、排水口１２、３２から流される排水の量が所定量を超えると、細管３６の内部に排水が満たされた状態で排水が勢い良く流れ、サイフォン現象が発生する。このように、略水平方向に延びる排水管１３が直接建物の排水配管３８に連通するのではなく細管３６を介することで、細管３６内においてサイフォン現象が生じて、排水を効率よく建物の排水配管３８に排出することができる。
【００３４】
なお、本発明の実施の形態は、本実施形態に限ることなく、本発明の思想の範囲を逸脱しない範囲で適宜変更することができることは云うまでもない。
【００３５】
例えば上述の実施形態においては浴槽１１の排水口１２に連通する排水トラップ装置１０ａ及び浴室の洗い場３１の排水口３２に連通する排水トラップ装置１０ｂとして２つの例を説明したが、本発明の実施形態はこれに限定されるものではない。例えば、洗濯機からの排水を流す洗濯パンの排水口に連通する排水トラップ装置１０に本発明を適用しても良い。
【００３６】
また、本実施形態においては、「負圧発生装置」として、サイフォン現象を生じさせる垂直方向に下方に延びた細管３６を用いたが、これに限定されるものではなく、他のサイフォン現象を発生させる装置又は排水ポンプなどを用いても良い。
【産業上の利用可能性】
【００３７】
本発明の排水トラップ装置は、例えば集合住宅などの排水口に連通する排水トラップ装置として好適に適用することができる。
【図面の簡単な説明】
【００３８】
【図１】浴槽の排水口に連通する排水トラップ装置の一例を示す断面図である。
【図２】図１の排水トラップ装置の分解斜視図である。
【図３】浴室の洗い場の排水口に連通する排水トラップ装置の一例を示す断面図である。
【図４】図３の排水トラップ装置の分解斜視図である。
【図５】浴室の排水構造全体を示す断面図である。
【図６】排水管に連通する細管を示す断面図である。
【図７】従来の排水トラップ装置の一例を示す断面図である。
【符号の説明】
【００３９】
１０（１０ａ、１０ｂ）    排水トラップ装置
１３    排水管
１３ａ  内周底
１５    トラップ本体
２６    封水部
２８    折曲位置（溢出位置）
３５    通気管
３６    細管（負圧発生部）
３７    縦配管
３８    排水配管
【図１】
2009121203.tif 000003
【図２】
2009121203.tif 000004
【図３】
2009121203.tif 000005
【図４】
2009121203.tif 000006
【図５】
2009121203.tif 000007
【図６】
2009121203.tif 000008
【図７】
2009121203.tif 000009